(57)【特許請求の範囲】
【請求項１】
自機識別情報をＧ４標準ＴＩＤとして回線を介して送信するファクシミリ装置において、
前記自機識別情報を前記Ｇ４標準ＴＩＤとして回線を介して日本国内から海外へ送信する際には、前記自機識別情報を構成するコードデータのうちのカタカナコード及び／または漢字コードを削除して送信する制御手段を備えたことを特徴とするファクシミリ装置。
【請求項２】
自機識別情報をＴＩＤとして回線を介して送信するファクシミリ装置において、
前記自機識別情報を回線を介して日本国内から海外へ送信する際には、他社機へのＧ４標準ＴＩＤとしての送信については、前記自機識別情報を構成するコードデータのうちのカタカナコードあるいは漢字コードを削除して送信する一方、自社機への非標準ＴＩＤとしての送信については、前記自機識別情報を構成するコードデータのうちのカタカナコード及び／または漢字コードを所定の統一コードに変換して送信する制御手段を備えたことを特徴とするファクシミリ装置。
【請求項３】
前記非標準ＴＩＤの受信時においては、受信した所定の統一コードに変換されたカタカナコード及び／または漢字コードを、元のカタカナコード及び／または漢字コードに変換する変換手段を備えたことを特徴とする請求項２に記載のファクシミリ装置。
【請求項４】
自機識別情報を非標準ＴＩＤとして回線を介して送信するファクシミリ装置において、
前記自機識別情報を前記非標準ＴＩＤとして回線を介して日本国内から海外へ送信する際には、前記自機識別情報を構成するコードデータのうちのカタカナコード及び／または漢字コードを削除して送信する一方、前記自機識別情報を前記非標準ＴＩＤとして回線を介して海外から日本国内へ送信する際には、前記自機識別情報を構成するコードデータのうちの欧州特殊文字コードを削除して送信する制御手段を備えたことを特徴とするファクシミリ装置。
【請求項５】
自機識別情報を非標準ＴＩＤとして回線を介して送信するファクシミリ装置において、
前記自機識別情報を前記非標準ＴＩＤとして回線を介して日本国内から海外へ送信する際には、前記自機識別情報を構成するコードデータのうちのカタカナコードについては所定の統一コードに変換し、漢字コードについては削除して送信する制御手段を備えたことを特徴とするファクシミリ装置。
【請求項６】
自機識別情報を非標準ＴＩＤとして回線を介して送信するファクシミリ装置において、
前記自機識別情報を前記非標準ＴＩＤとして回線を介して日本国内から海外へ送信する際には、前記自機識別情報を構成するコードデータのうちのカタカナコードについては所定の統一コードに変換し、漢字コードについてはそのまま送信する制御手段を備えたことを特徴とするファクシミリ装置。
【請求項７】
前記非標準ＴＩＤの受信時においては、自機が漢字に対応していない場合には、漢字コードについては破棄する破棄手段を備えたことを特徴とする請求項６に記載のファクシミリ装置。
【請求項８】
自機識別情報をＧ４標準ＴＩＤとして回線を介して送信するファクシミリ装置の制御方法において、
前記自機識別情報を前記Ｇ４標準ＴＩＤとして回線を介して日本国内から海外へ送信する際には、前記自機識別情報を構成するコードデータのうちのカタカナコード及び／または漢字コードを削除して送信することを特徴とするファクシミリ装置の制御方法。
【発明の詳細な説明】
【０００１】
【発明の属する技術分野】
本発明は、ファクシミリ装置及びその制御方法に関し、特に、コードデータを送受信可能なファクシミリ装置及びその制御方法に関する。
【０００２】
【従来の技術】
ファクシミリ装置は基本的には、イメージデータを送受信するものであるが、自機識別情報（自機の名称）などの登録データをフォント展開することなくコードデータのまま送受信し、受信側で表示したり印字したり、受信側で編集して送信側に戻したりする機能を備えたものもある。
【０００３】
【発明が解決しようとする課題】
しかし、送信側で使用する内部コードデータと、受信側で使用する内部コードデータとは、送信側と受信側との製造メーカが異なったり、送信側が日本国内向けで受信側が海外向けであったり、または、その逆であったりする等のために互換性が無い場合があり、文字化けが発生してしまうことがあるという問題点があった。
【０００４】
本発明は係る事情に鑑みてなされたものであり、送信側から受信側へのコードデータの転送に際しての文字化けの発生を防止することができるファクシミリ装置及びその制御方法を提供することを目的とする。
【０００５】
【課題を解決するための手段】
上記目的を達成するため、請求項１に記載のファクシミリ装置は、自機識別情報をＧ４標準ＴＩＤとして回線を介して送信するファクシミリ装置において、前記自機識別情報を前記Ｇ４標準ＴＩＤとして回線を介して日本国内から海外へ送信する際には、前記自機識別情報を構成するコードデータのうちのカタカナコード及び／または漢字コードを削除して送信する制御手段を備えたことを特徴とする。
【０００６】
請求項２に記載のファクシミリ装置は、自機識別情報をＴＩＤとして回線を介して送信するファクシミリ装置において、前記自機識別情報を回線を介して日本国内から海外へ送信する際には、他社機へのＧ４標準ＴＩＤとしての送信については、前記自機識別情報を構成するコードデータのうちのカタカナコードあるいは漢字コードを削除して送信する一方、自社機への非標準ＴＩＤとしての送信については、前記自機識別情報を構成するコードデータのうちのカタカナコード及び／または漢字コードを所定の統一コードに変換して送信する制御手段を備えたことを特徴とする。
【０００７】
請求項３に記載のファクシミリ装置は、請求項２に記載のファクシミリ装置において、前記非標準ＴＩＤの受信時においては、受信した所定の統一コードに変換されたカタカナコード及び／または漢字コードを、元のカタカナコード及び／または漢字コードに変換する変換手段を備えたことを特徴とする。
【０００８】
請求項４に記載のファクシミリ装置は、自機識別情報を非標準ＴＩＤとして回線を介して送信するファクシミリ装置において、前記自機識別情報を前記非標準ＴＩＤとして回線を介して日本国内から海外へ送信する際には、前記自機識別情報を構成するコードデータのうちのカタカナコード及び／または漢字コードを削除して送信する一方、前記自機識別情報を前記非標準ＴＩＤとして回線を介して海外から日本国内へ送信する際には、前記自機識別情報を構成するコードデータのうちの欧州特殊文字コードを削除して送信する制御手段を備えたことを特徴とする。
【０００９】
請求項５に記載のファクシミリ装置は、自機識別情報を非標準ＴＩＤとして回線を介して送信するファクシミリ装置において、前記自機識別情報を前記非標準ＴＩＤとして回線を介して日本国内から海外へ送信する際には、前記自機識別情報を構成するコードデータのうちのカタカナコードについては所定の統一コードに変換し、漢字コードについては削除して送信する制御手段を備えたことを特徴とする。
【００１０】
請求項６に記載のファクシミリ装置は、自機識別情報を非標準ＴＩＤとして回線を介して送信するファクシミリ装置において、前記自機識別情報を前記非標準ＴＩＤとして回線を介して日本国内から海外へ送信する際には、前記自機識別情報を構成するコードデータのうちのカタカナコードについては所定の統一コードに変換し、漢字コードについてはそのまま送信する制御手段を備えたことを特徴とする。
【００１１】
請求項７に記載のファクシミリ装置は、請求項６に記載のファクシミリ装置において、前記非標準ＴＩＤの受信時においては、自機が漢字に対応していない場合には、漢字コードについては破棄する破棄手段を備えたことを特徴とする。
【００１２】
請求項８に記載のファクシミリ装置の制御方法は、自機識別情報をＧ４標準ＴＩＤとして回線を介して送信するファクシミリ装置の制御方法において、前記自機識別情報を前記Ｇ４標準ＴＩＤとして回線を介して日本国内から海外へ送信する際には、前記自機識別情報を構成するコードデータのうちのカタカナコード及び／または漢字コードを削除して送信することを特徴とする。
【００１３】
【発明の実施の形態】
以下、添付図面を参照しながら、本発明の実施の形態を詳細に説明する。
【００１４】
先ず、図１は、本発明の実施の形態に係る制御方法が適用されるファクシミリ装置１のブロック構成を示している。
【００１５】
同図において、ファクシミリ装置１は、システム制御部２、ＲＯＭ３、ＲＡＭ４、スキャナ５、プロッタ６、画像メモリ７、符号化復号化部８、操作表示部９、通信制御部１０、網制御部１１、ＲＳ２３２Ｃインターフェース１２、ＬＡＮインターフェース１３、及び、システムバス１４により構成されている。
【００１６】
システム制御部２は、ＲＯＭ３書き込まれた制御プログラムに従って、ＲＡＭ４を作業領域として使用しながら、装置各部を制御するマイクロコンピュータである。
【００１７】
ＲＯＭ３は、前述したように、システム制御部２が上記装置各部を制御するための制御プログラムが記憶されているリードオンリメモリである。また、ＲＯＭ３には、各文字コードにフォントデータを対応付けたフォントテーブル３ａが記憶されていて、システム制御部２は、文字列を画情報に変換する場合には、フォントテーブル３ａを参照する。
【００１８】
ＲＡＭ４は、前述したようにシステム制御部２の作業領域として使用されるランダムアクセスメモリである。なお、ＲＡＭ４は、図示しないバックアップ用回路によりバックアップされており、装置電源遮断時にも記憶内容は保持される。
【００１９】
スキャナ５は、３．８５本／ｍｍ、７．７本／ｍｍ、１５．４本／ｍｍ等の所定の読み取り線密度で原稿画像を読み取って画情報を得るためのものである。プロッタ６は、受信した画情報を、その線密度に応じて記録出力したり、スキャナ５で読み取った画情報を、その線密度に応じて記録出力（コピー動作）するためのものである。
【００２０】
画像メモリ７は、スキャナ５で読み取った画情報を、メモリ送信するために一時的にファイルとして蓄積したり、受信した画情報を、プロッタ６により記録するまでファイルとして一時的に蓄積したり、通信管理レポート等の各種レポートの画情報やワンタッチダイヤル登録リストや短縮ダイヤル登録リストの画情報をフォント展開して作成するための一時的な記憶領域としても使用される。
【００２１】
符号化復号化部８は、送信画像データを、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００２２】
操作表示部９は、相手先ファクシミリ番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００２３】
通信制御部１０は、網制御部１１を介したＧ３またはＧ４ファクシミリ通信を制御するためのものである。網制御部１１は、ＰＳＴＮまたはＩＳＤＮの回線に接続されて、回線との接続制御を行うためのものである。ＲＳ２３２Ｃインターフェース１２は、パーソナルコンピュータ（ＰＣ）２０との間で通信を行うためのインターフェースとなるものであり、ＬＡＮインターフェース１３もＰＣ２０との間で通信を行うためのインターフェースとなるものである。システムバス１４は、上記各部がデータをやり取りするための信号ラインである。
【００２４】
ファクシミリ装置における、送受信時にコード統一する必要のあるコードデータの転送については、いろいろな要因に従って分類され、登録データ転送、Ｇ４標準ＴＩＤ、非標準ＴＩＤ、リモートセットアップの４項目がある。
【００２５】
登録データ転送、Ｇ４標準ＴＩＤ、非標準ＴＩＤについては、回線上でコード統一する必要がある。リモートセットアップについては、ＲＳ２３２Ｃ、ＬＡＮ上でコード統一する必要がある。また、Ｇ４標準ＴＩＤ、非標準ＴＩＤについは、海外・日本間で同一コードで異なる文字を統一する必要がある。また、標準プロトコル（Ｇ４標準ＴＩＤ）、非標準プロトコル（登録データ転送、非標準ＴＩＤ）の違いによって他社機も意識する必要がある。また、漢字が使用できる装置に対してはカタカナをＳＪＩＳコードに変換して送受信する必要がある。
【００２６】
上記の要因をまとめると以下の分類となる。
【００２７】
回線経由では、標準プロトコルと、非標準プロトコルの違いがあり、標準プロトコルでは、地域にまたがる場合が存在する（Ｇ４標準ＴＩＤ）。非標準プロトコルでは、地域にまたがる場合と（非標準ＴＩＤ）、同一地域内のみ（登録データ転送）の場合が存在する。
【００２８】
ＲＳ２３２ＣまたはＬＡＮ経由では、非標準プロトコルで同一地域内のみ（リモートセットアップ）である。
【００２９】
登録データ転送は、機種間で内部コード体系が違うので互換性を持たせる為に統一コード体系を定義する必要がある。ここでは地域をまたがってデータ転送する必要はない。
【００３０】
Ｇ４標準ＴＩＤは、標準プロトコルで採用されているが機種間で内部コード体系が違うので互換性を持たせる為に統一コード体系を定義する必要がある。ここでは地域をまたがってコードを送るので地域間で統一コードにする必要があるがもし統一コード体系にできない場合は送信時に変換して転送し、受信時に変換して戻す必要がある。
【００３１】
メーカ独自の非標準ＴＩＤは、非標準プロトコルで採用されているが機種間で内部コード体系が違うので互換性を持たせる為に統一コード体系を定義する必要がある。ここでは地域をまたがってデータ転送する必要があるがもし統一コード体系にできない場合は送信時に変換して転送し、受信時に変換して戻す必要がある。
【００３２】
リモートセットアップは、ＬＡＮまたはＲＳ２３２Ｃで専用プロトコルで登録データの更新を行う。そのため、地域をまたがってデータ転送する必要はない。アプリケーションソフトウェアを統一する為には機種間で内部コード体系が違うので互換性を持たせる為に統一コード体系を定義する必要がある。
【００３３】
内部コード体系の例について示すと、カナ表示の装置においては、アルファベット小文字が使用できず、アルファベット小文字のコードに欧州特殊文字が割り当てられている。
【００３４】
漢字表示の装置においては、アルファベット小文字は使用できるが、欧州特殊文字が１バイトでなく２バイトで割り当てられている。
【００３５】
図２に、送信側から受信側への登録データ転送時の転送可能コードの対応について示す。登録データ転送時には地域をまたがって送受信することはなく、また、漢字を表示できない装置に対して漢字を転送することはできない。
【００３６】
図３に送信側から受信側へのＧ４標準ＴＩＤ転送時の転送可能コードの対応について示す。Ｇ４標準ＴＩＤは印字するためだけに使用され、漢字表示の装置でも漢字入力は禁止で、地域をまたがって送受信することもある。
【００３７】
図４に送信側から受信側への非標準ＴＩＤ転送時の転送可能コードの対応について示す。非標準ＴＩＤは印字するためだけに使用され、地域をまたがって送受信することもある。
【００３８】
日本（ＪＩＳ８）と海外とでは、数字や大文字のアルファベットについては、同一コードに同一フォントが割り当てられているが、同一コードにそれぞれ別のフォントが割り当てられているコード領域も存在し、特に８０ＨからＦＦＨまでの領域である。ここで必要なのは日本ではＡ０ＨからＣＦＨで海外ではＡ０ＨからＦＦＨである。
【００３９】
この解決策は日本では漢字を使用する場合はＳＪＩＳコードを統一コードとして定義する。日本の場合の方が必要なコード数が少ない（Ａ０ＨからＣＦＨ）ので転送時だけカタカナはＳＪＩＳコードで置き換える。受信した方でＳＪＩＳを内部カタカナコードに置き換える。漢字が使用できて印字するだけのデータ転送（Ｇ４標準ＴＩＤ、非標準ＴＩＤ）は漢字が印字できるマシンにとっては内部カナコードに戻す必要はなくそのまま印字すればよいが処理の共通化から内部カタカナコードに戻した方がよい。
【００４０】
ここで、第１実施形態について説明する。
【００４１】
自機識別情報である自機名称は内部コードデータとして、バックアップされたＲＡＭ４に格納されている。この自機名称のコードデータを回線を通して外部のセンターマシンに一旦転送して修正して戻ってくる。
【００４２】
ここで自機名称を転送するときに統一コードを使用する。使用する統一コードは、日本であれば、ＪＩＳ８等、海外であれは、カタカナのコード領域にウムラウト記号等の欧州特殊文字が割り当てられたコード等である。
【００４３】
日本、海外では同一コードでもフォントが違う。例えば８０Ｈ〜ＦＦＨが異なる。
【００４４】
ＲＡＭ４に格納された自機名称の内部コードを送信する場合、ＲＡＭ４から自機名称の内部コードデータを読み出し、ＲＡＭ４を作業領域としてし使用して統一コードにコード変換して展開する。そして、通信制御部１０、網制御部１１の制御により回線を介してセンターマシンに送信する。
【００４５】
逆にセンターマシンから修正後の自機名称のコードデータを受信する時は網制御部１１、通信制御部１０の制御により統一コードの自機名称を受信してＲＡＭ４に格納し、内部コードに逆変換してＲＡＭ４内の元の自機名称格納エリアに格納する。ここで送信する前の内部コードに戻されているので表示上は問題無く表示できる。
【００４６】
次に第２実施形態について説明する。
【００４７】
第１実施形態では、コード体系が日本と海外で同じコードに違うフォント（カタカナと各種ウムラウト記号等）を割り当てているので日本と海外間で通信を行なった時に認識出来なくなる恐れがある。
【００４８】
そこで同一コードに割り当てられているコードはおもにカタカナであるからカタカナを２バイトコードのＳＪＩＳにコード変換して送信する。そうするとセンターマシンではＳＪＩＳコードは表示できるので問題ない。センターマシンから受信する時は統一コード（ＳＪＩＳ）で受けたら内部のカタカナコードに逆変換してＲＡＭ４内の元の自機名称格納エリアに格納する。これで海外機で欧州特殊文字（Ａ０Ｈ〜ＦＦＨ）を送る時には内部コードを統一コード（Ａ０Ｈ〜ＦＦＨ）に変換して送信する。
【００４９】
次に、第３実施形態について説明する。
【００５０】
Ｇ４標準ＴＩＤは、自機に登録してある自機名称を受信側に通知して必要に応じて印字させるためのもので、Ｇ４ＴＩＤは、「カントリーコード’−’＋加入者番号＋’＝’＋端末略号」で構成され、例えば、「８１−４８６５１０１１＝カトウシテン」のように構成される。
【００５１】
カントリーコードの入力キャラクタは０〜９で、入力桁数は、最大４桁の範囲内の可変長である。加入者番号の入力キャラクタは０〜９で、入力桁数は、最大１２桁の範囲内の可変長である。端末略号の入力キャラクタジェネレータはＪＩＳ８でなければならない。
【００５２】
送信側は、ＲＡＭ４に登録してある自機名称の内部コードデータをＧ４標準ＴＩＤとして、通信制御部１０、網制御部１１を制御して行うＧ４ファクシミリ送信時に、ファクシミリメッセージに付帯させてＧ４ファクシミリプロトコル上で送出する。ここで、海外では、端末略号として日本では許容されているＪＩＳ８が許容されていないため、日本に対して発呼するのか海外に対して発呼するのかを判断して海外の時にはＪＩＳ８のカタカナを削除して送信する必要がある。
【００５３】
受信側は、網制御部１１，通信制御部を制御してファクシミリメッセージに付帯して受信したＧ４標準ＴＩＤを、内部コードに変換してＲＡＭ４に格納し、設定が印字する設定であれば、ファクシミリメッセージとして受信した画像データに埋め込んで印字する。
【００５４】
次に、第４実施形態について説明する。
【００５５】
第３実施形態において、他社機との通信が可能な標準プロトコルで、海外に対して発呼したと判断したことをもって、ＪＩＳ８を送出しない条件とする。
【００５６】
図５に、日本国内から発呼する場合において、発呼先が日本国内か海外かの判断処理手順について示す。
【００５７】
同図において、操作表示部９から指定された発呼先電話番号の先頭に国際電話を示す予めＲＡＭ４に登録していた国際プリフィクスがあるかを判断し（判断１０１）、国際プリフィクスがない場合は（判断１０１のＮｏ）、発呼先は日本国内と判断する（処理１０２）。
【００５８】
国際プリフィクスがある場合は（判断１０１のＹｅｓ）、更に、続く国コードが日本を示す「８１」か否かを判断し（判断１０３）、国コードが「８１」である場合は（判断１０３のＹｅｓ）、発呼先は日本国内と判断し（処理１０２）、国コードが「８１」ではない場合は（判断１０３のＮｏ）、発呼先は海外と判断する（処理１０４）。
【００５９】
次に、第５実施形態について説明する。非標準ＴＩＤとはＧ４標準ＴＩＤに準じてメーカ独自に非標準で実現されるもので、ＳＪＩＳ（８／１ ６混在不可）で最大３２バイトでＲＡＭ４に登録された自機名称のコードデータが使用される。
【００６０】
送信側は、送信時に海外に発呼すると判断した時には自機名称のコードデータのうちのカタカナ、漢字ともに削除して非標準ＴＩＤとして送信する。逆に海外から日本に発呼すると判断した時には自機名称のコードデータのうちの欧州特殊文字を削除して非標準ＴＩＤとして送信する。国内から海外への発呼の判断は図５に示して手順により行うが、海外から日本への発呼の判断は、図６に示す処理手順により行う。
【００６１】
図６において、海外から発呼する場合において、操作表示部９から指定された発呼先電話番号の先頭に国際電話を示す予めＲＡＭ４に登録していた国際プリフィクスがあるかを判断し（判断２０１）、国際プリフィクスがない場合は（判断２０２のＮｏ）、発呼先は日本以外し判断する（処理２０２）。
【００６２】
国際プリフィクスがある場合は（判断２０１のＹｅｓ）、更に、続く国コードが日本を示す「８１」か否かを判断し（判断２０３）、国コードが「８１」ではない場合は（判断２０３のＮｏ）、発呼先は日本以外と判断し（処理２０２）、国コードが「８１」である場合は（判断２０３のＹｅｓ）、発呼先は日本と判断する（処理２０４）。
【００６３】
受信側は、網制御部１１、通信制御部を制御してファクシミリメッセージに付帯して受信した非標準ＴＩＤを、内部コードに変換してＲＡＭ４に格納し、設定が印字する設定であれば、ファクシミリメッセージとして受信した画像データに埋め込んで印字する。
【００６４】
次に、第６実施形態について説明する。
【００６５】
第５実施形態と違うところは海外機も含めて同一のフォントを持っていることを想定していることである。つまり海外機でもカタカナフオントを持っている。日本国内の装置でも欧州特殊文字のフォントを持っている。しかし漢字まではサポートしていない。これはソフトウェアの共通化のために海外機も同一フォントを持っていることで十分ありえることである。
【００６６】
送信側は、日本から海外への発呼と判断した時は非標準ＴＩＤとして、自機名称のちのカタカナは送信するが漢字は削除して送信しない。逆に海外から日本へ発呼と判断した時は非標準ＴＩＤとして、自機名称のちの欧州特殊文字は削除せずに送信する。日本から海外への発呼の判断は、図５の手順により行い、海外から日本への発呼の判断は、図６の手順により行う。
【００６７】
受信側は、網制御部１１、通信制御部を制御してファクシミリメッセージに付帯して受信した非標準ＴＩＤを、内部コードに変換してＲＡＭ４に格納し、設定が印字する設定であれば、ファクシミリメッセージとして受信した画像データに埋め込んで印字する。
【００６８】
次に第７実施形態について説明する。
【００６９】
第６実施形態と同様であるが自機名称を非標準ＴＩＤとして送信する時に制限を加えることなく漢字であっても共通コード体系で送信する。
【００７０】
受信側は、受信したコードは共通コードなので自機が印字不可能と判断した時は（漢字が印字できない装置では漢字のコードを見つけた場合）、そのコードの印字は飛ばして印字する。
【００７１】
上記のような制御方法を実施することにより相手機の能力を判断する必要もなく送信でき、受信側で判断できるのでより正確に印字できる。
【００７２】
次に第８実施形態について説明する。
【００７３】
ＰＣ２０とシステムデータについてデータ転送を行いＰＣ２０上で編集して本体に再び書き込む機能がリモートセットアップである。しかし、装置機能上の制約、例えば、ＬＣＤで漢字が使用出来ない装置では１バイトですべてのコードを表わし、アルファベットの小文字を使用できないようにしてそのコードに欧州特殊文字を使用しているために、他機種と互換性がなくなっている。
【００７４】
そこで、ＲＳ２３２Ｃインターフェース１２またはＬＡＮインターフェース１３を介してＰＣ２０からそれらのインターフェースを経由して本体のデータを読み出して、その読み出したデータをＰＣ２０上で変更して本体にデータを書き込む場合、システム制御部２は、ＲＳ２３２Ｃインターフェース１２やＬＡＮインターフェース１３からデータ読み出し要求がくるとＲＡＭ４上にある自機名称などのデータを内部コードから統一コードに変換して送信する。ＰＣ２０上ではそのデータを編集して再び書き込み要求を出す。本体側はＲＳ２３２Ｃインターフェース１２やＬＡＮインターフェース１３から書き込み要求がくると統一コードから内部コードに変換してＲＡＭ４に書き込む。
【００７５】
このように本実施の形態によれば、コードデータの各種転送の際の文字化けの発生を防止することができる。
【００７６】
【発明の効果】
請求項１、８に係る発明によれば、Ｇ４ファクシミリ標準プロトコルでＧ４ＴＩＤにより自機名称などの自機識別情報（日本ではＪＩＳ８（カタカナ）が許容されている）を回線を使用して送受信する場合に、日本国内から海外に送った時に、ＪＩＳ８は海外ではサポートされていないために、互換性が保てなくなることに鑑みて、日本から海外に送るときには、ＪＩＳ８等のカタカナコード部分を削除して送るようにしたため、日本国内に送る時はすべての文字が文字化けしないでそのまま印字でき、また、日本から海外に送る時はカタカナコードを送らないので文字化けを防ぐことが可能となる効果が得られる。
【００７７】
請求項２、３に係る発明によれば、請求項１に係る発明では、自社モードでは国内海外共通仕様で海外でもＪＩＳ８（カタカナ）フォントが印字できるかもしれないが他社モードでつながった時に互換性が保証できないことに鑑みて、自社モードの時は内部カタカナコードを統一コード（例えばＳＪＩＳ）に変換して送信して、受信側で統一コード（例えばＳＪＩＳ）を内部カタカナコードに変換して印字し、他社モードの時は海外には余分なコード（カタカナ部分）は送出しないようにすることで、自社モード時は日本国内に送る時はすべての文字が文字化けしないでそのまま印字でき、日本から海外に送っても文字化けしないでそのまま印字することが可能となる。また、他社モード時は日本国内に送る時はすべての文字が文字化けしないでそのまま印字でき、日本から海外に送る時はカタカナコードを送らないので文字化けを防ぐことが可能となる効果が得られる。
【００７８】
請求項４に係る発明によれば、非標準プロトコルでＴＩＤを回線を使用して送受信する場合に、海外でカタカナや漢字がサポートされておらず、逆に欧州特殊文字は日本ではサポートされていないために、国内と海外でコード体系が異なっていて互換性が保てなることに鑑みて、日本から海外に送るときには、カタカナと漢字を送信せず、海外から日本に送るときには、欧州特殊文字は送信しないようにしたため、文字化けを起さないようにすることが可能となる効果が得られる。
【００７９】
請求項５に係る発明によれば、請求項４に係る発明では、国内海外統一コード体系でＴＩＤを回線を使用して送受信する場合に、カタカナは共通設計なので海外でサポートしているが漢字印字は海外ではサポートしていないためにカタカナ印字はサポートするが漢字印字はサポートしない装置が存在し、その装置に対して漢字コードを送信すると印字できないので文字化けしてしまうことがあることに鑑みて、日本から海外に送るときには、カタカナは統一コード（例えばＳＪＩＳ）で送信し、漢字はサポートしていない機種が存在するので送信しないようにすることで、文字化けを起さないようにすることが可能となる効果が得られる。
【００８０】
請求項６，７に係る発明によれば、請求項５に係る発明では、国内海外統一コード体系でＴＩＤを回線を使用して送受信する場合に、カタカナは共通設計なので海外でサポートしているが漢字印字は海外ではサポートしていないことがあるため、カタカナ印字はサポートするが漢字印字はサポートしない装置が存在し、その装置に対して漢字コードを送信すると印字できないので文字化けしてしまうことがあることに鑑みて、日本から海外に送るときには、カタカナは統一コード（例えばＳＪＩＳ）で送信すると共に、漢字はサポートしていないが漢字コードも送信するようにし、受信側では自機が漢字印字できない場合はそのコードを捨てて漢字以外を印字するようにしたため、漢字コードを受けても受信側での印字で文字化けを起さないようにすることが可能となる効果が得られる。
【図面の簡単な説明】
【図１】本発明の実施の形態に係るファクシミリ装置のブロック構成を示す図である。
【図２】送信側から受信側への登録データ転送時の転送可能コードの対応について示す図である。
【図３】送信側から受信側へのＧ４標準ＴＩＤ転送時の転送可能コードの対応について示す図である。
【図４】送信側から受信側への非標準ＴＩＤ転送時の転送可能コードの対応について示す図である。
【図５】国内からの発呼時における発呼先判断処理手順について示すフローチャートである。
【図６】海外から発呼時における発呼先判断処理手順について示すフローチャートである。
【符号の説明】
１  ファクシミリ装置
２  システム制御部
３  ＲＯＭ
３ａ  フォントテーブル
４  ＲＡＭ
５  スキャナ
６  プロッタ
７  画像メモリ
８  符号化復号化部
９  操作表示部
１０  通信制御部
１１  網制御部
１２  ＲＳ−２３２Ｃインターフェース
１３  ＬＡＮインターフェース
１４  システムバス
【図１】
0003701505.tif 000002
【図２】
0003701505.tif 000003
【図３】
0003701505.tif 000004
【図４】
0003701505.tif 000005
【図５】
0003701505.tif 000006
【図６】
0003701505.tif 000007